(57)【特許請求の範囲】
【請求項１】
車内と車外とをつなぐ排水管に、該排水管の内径より大きな内径を有し、内部に球形のフロートを収納したフロート室と、排水を溜めて排水管を水封する排水トラップとを設け、前記フロート室の上部及び下部に、フロート室内の水位の変動に伴って上下動するフロートが当接して排水管を遮断する円形の上部弁座と下部弁座とをそれぞれ備えた車両用水封装置において、
前記フロート室の下部に、前記フロート室の下部内周縁を前記下部弁座の基部に向かって漸次縮径する漏斗状の下部レジューサ部を形成し、
前記下部弁座は、下部レジューサの内周縁に突設した周状突片の先端内周面に形成されるとともに、
該周状突片の上面を、水平方向乃至前記下部弁座に向かう下り勾配であって、該下り勾配の水平線に対する角度を、前記フロートと前記下部弁座との当接点を通るフロート外周面の接線と水平線との交角未満とし、
前記フロートの外周面下部が前記下部弁座の一部に当接し、かつ、フロートの外周面側部がフロート室内周面に当接したときに、フロートの重心が前記下部弁座の内周側に位置し、
前記フロートが下部弁座に着座してフロートの周囲に排水が存在する状態で、フロートの質量をＷ［ｋｇ］、下部弁座の開口面積をＡ［ｍ２］、フロートの周囲の水位をＨ［ｍ］、フロートが水没した部分の体積をＶ［ｍ３］、排水の密度をρ［ｋｇ／ｍ３］としたときに、あらかじめ設定された水位以上で、Ｖ・ρ−（Ａ・Ｈ・ρ＋Ｗ）＞０の関係が成立することを特徴とする車両用水封装置。
【請求項２】
前記下り勾配の水平線に対する角度を、前記交角の１／２以下としたことを特徴とする請求項１記載の車両用水封装置。
【発明の詳細な説明】
【技術分野】
【０００１】
本発明は、車両用水封装置に関し、詳しくは、高速で走行する鉄道車両の洗面台などの排水管に設けられる車両用水封装置に関する。
【背景技術】
【０００２】
高速で走行する鉄道車両では、トンネル進入時やトンネル退出時に車体周りの気圧が大きく変動するため、車体を気密構造として車内の気圧変動を抑えるようにしている。また、洗面所などからの排水は、排水管をＳ型に屈曲させて水を滞留させることにより気密性を保持する排水トラップと、気圧の変動時に排水トラップ内の水位が変動することを利用して排水管を遮断する球形のフロートを収納したフロート室とを備えた車両用水封装置を介して車外に排出するようにしている。フロート室は、上下に弁座となる円錐面をそれぞれ有する紡錘状に形成されており、外気圧が急上昇するとフロート室内の水位が上昇してフロート室の上部円錐面（上部弁座）にフロートが当接して排水管を閉塞し、外気圧が急低下するとフロート室内の水位が下降してフロート室の下部円錐面（下部弁座）にフロートが当接して排水管を閉塞するように形成されている（例えば、特許文献１〜３参照。）。
【先行技術文献】
【特許文献】
【０００３】
【特許文献１】実用新案登録第２５８７７９４号公報
【特許文献２】特許第４２８０２０７号公報
【特許文献３】特開２０１０−２３７１２号公報
【発明の概要】
【発明が解決しようとする課題】
【０００４】
特許文献１〜３に記載された構造の水封装置を採用することによって洗面所などの排水管における気密性を保持することはできるが、洗面所などの使用頻度が極端に少ない状態で気圧の変動が繰り返されると、排水トラップ内の水量が減少してフロート室内の排水が無くなり、フロートがフロート室の下部弁座に着座したままの状態になる。通常は、フロート室内への排水の流入や外気圧の上昇によってフロートが浮上し、下部弁座を開放して正常な状態に復帰する。
【０００５】
しかし、下部弁座となる円錐面に嘔吐物や即席麺の残り汁などの流動性、粘着性を有する異物が大量に付着していると、異物を介してフロートと下部弁座とが張り付いた状態になり、洗面所などからの排水がフロート室内に流入してもフロートが浮上できなくなることがあった。
【０００６】
例えば、図６に示すように、下部弁座５１となる部分がフロート室下部の円錐面の場合は、下部弁座５１がフロート５２の外周面に対して接線方向に当接する状態になることから、下部弁座５１の近傍に付着した異物Ｃがフロート５２の下部弁座当接部の周辺の広い面積に接触することになり、フロート５２と下部弁座５１とが異物Ｃを介して広い範囲で張り付いた状態になることがある。このように、異物を介して広い面積でフロートと下部弁座とが張り付いた状態になってしまうと、洗面所などからの排水がフロート室内に流入してもフロートが浮上せず、排水不能状態になってしまうおそれがあった。
【０００７】
そこで本発明は、フロートと下部弁座とが異物を介して張り付いた状態になることを防止し、フロートによる排水管の開閉、気圧変動の抑制を確実に行うことができる車両用水封装置を提供することを目的としている。
【課題を解決するための手段】
【０００８】
上記目的を達成するため、本発明の車両用水封装置は、車内と車外とをつなぐ排水管に、該排水管の内径より大きな内径を有し、内部に球形のフロートを収納したフロート室と、排水を溜めて排水管を水封する排水トラップとを設け、前記フロート室の上部及び下部に、フロート室内の水位の変動に伴って上下動するフロートが当接して排水管を遮断する円形の上部弁座と下部弁座とをそれぞれ備えた車両用水封装置において、前記フロート室の下部に、前記フロート室の下部内周縁を前記下部弁座の基部に向かって漸次縮径する漏斗状の下部レジューサ部を形成し、前記下部弁座は、下部レジューサの内周縁に突設した周状突片の先端内周面に形成されるとともに、該周状突片の上面を、水平方向乃至前記下部弁座に向かう下り勾配であって、該下り勾配の水平線に対する角度を、前記フロートと前記下部弁座との当接点を通るフロート外周面の接線と水平線との交角未満とし、好ましくは、前記下り勾配の水平線に対する角度を、前記交角の１／２以下としたことを特徴としている。
【０００９】
さらに、本発明の車両用水封装置は、前記フロート室の下部内周面が前記周状突片の基部に向かって漸次縮径する漏斗状に形成されていること、前記フロートの外周面下部が前記下部弁座の一部に当接し、かつ、フロートの外周面側部がフロート室内周面に当接したときに、フロートの重心が前記下部弁座の内周側に位置していることを特徴としている。また、前記フロートが下部弁座に着座してフロートの周囲に排水が存在する状態で、フロートの質量をＷ［ｋｇ］、下部弁座の開口面積をＡ［ｍ２］、フロートの周囲の水位をＨ［ｍ］、フロートが水没した部分の体積をＶ［ｍ３］、排水の密度をρ［ｋｇ／ｍ３］としたときに、あらかじめ設定された水位以上で、Ｖ・ρ−（Ａ・Ｈ・ρ＋Ｗ）＞０の関係が成立することを特徴としている。
【発明の効果】
【００１０】
本発明の車両用水封装置によれば、フロート室の内周面から水平方向乃至前記下部弁座に向かう下り勾配であって、前記フロートの外周面の接線に交わる方向に周状突片を突設し、該周状突片の内周縁に下部弁座を設けたので、下部弁座に異物が付着していてもフロートの外周面の広い範囲に接触することはなく、フロートと下部弁座とが異物を介して強く張り付いた状態になることがなくなる。
【００１１】
また、フロート室の下部内周面を漏斗状に形成したり、フロートの重心を下部弁座の内周側に位置させることにより、フロートを下部弁座に確実に着座させることができる。さらに、フロートの質量、下部弁座の開口面積、フロート周囲の水位、フロートが水没した部分の体積を適切に設定することにより、フロートに確実な浮力を与えることができる。
【図面の簡単な説明】
【００１２】
【図１】本発明の車両用水封装置の第１形態例を示す断面正面図である。
【図２】フロートが下部弁座に着座した状態を示す要部の断面正面図である。
【図３】下部弁座の近傍に付着した異物とフロートとの関係を示す図である。
【図４】フロートと下部弁座とフロート室内周面との関係を示す図である。
【図５】フロートと下部弁座との関係を示す説明図である。
【図６】従来のフロート式水封装置における円錐面形状の下部弁座の近傍に付着した異物とフロートとの関係を示す図である。
【発明を実施するための形態】
【００１３】
本形態例に示す車両用水封装置は、鉄道車両の車内と車外とをつなぐ排水管の途中に設けられるもので、例えば車内に設けられた洗面台などの排水口に接続する上部排水管１１と、該上部排水管１１の下部に接続されるフロート室１２と、該フロート室１２の下部に接続される下部排水管１３と、該下部排水管１３に設けられたＳ型管トラップ１４とを備えている。
【００１４】
フロート室１２は、上部排水管１１や下部排水管１３の内径より大きな内径を有する円筒状の胴部１２ａと、該胴部１２ａの上部と上部排水管１１の下端開口とを接続するとともに、内周面に上部弁座１５を形成する上部レジューサ部１２ｂと、胴部１２ａの下部に設けられた下部レジューサ部１２ｃと、該下部レジューサ部１２ｃと下部排水管１３との間に設けられた下部弁座１６とを備えている。このフロート室１２の内部には、前記上部弁座１５及び下部弁座１６の内径より大きく、胴部１２ａの内径より小さな外径を有する球形のフロート１７が上下動可能な状態で収納されている。
【００１５】
排水トラップ１４は、フロート室１２の下方の所定位置、例えば１ｍ程度下方でＵ字状に屈曲した下部屈曲部１４ａと、該下部屈曲部１４ａの流出側から鉛直方向上方に向かって設けられた立ち上がり管部１４ｂと、立ち上がり管部１４ｂの上端で逆Ｕ字状に屈曲した上部屈曲部１４ｃと、該上部屈曲部１４ｃの流出側から下方に向かって設けられた出口管部１４ｄとを有しており、出口管部１４ｄの下流側が車外に開口している。また、上部屈曲部１４ｃの高さは、この排水トラップ１４内に溜まる排水の水面がフロート室１２の上下方向中間部に位置するように設定されている。
【００１６】
下部弁座１６は、前記フロート室１２の下部レジューサ部１２ｃの内周面に突設した周状突片１８の先端内周縁に設けられている。周状突片１８は、絞り加工によって下部レジューサ部１２ｃと一体に形成されており、周状突片１８の上面は、下部レジューサ部１２ｃの内周面から水平方向に突設した状態となっている。また、下部弁座１６の内径は下部排水管１３の内径と同じ内径に形成しており、下部弁座１６の下方に直接又は適宜な接続管を介して下部排水管１３の上端を接合している。
【００１７】
このように、下部弁座１６を水平方向に突設した周状突片１８の先端内周縁に設けることにより、図３に示すように、下部弁座１６の近傍に流動性、粘着性を有する異物Ｃが付着していても、フロート１７に接触する異物Ｃの量や面積は極めて僅かであり、フロート１７と下部弁座１６とが異物Ｃを介して張り付いた状態になることを防止できる。
【００１８】
また、図４に示すように、フロート１７と下部弁座１６と下部レジューサ部１２ｃの内周面との関係は、フロート１７の外周面下部１７ａが前記下部弁座１６の一部に当接し、かつ、フロート１７の外周面側部１７ｂが胴部１２ａ又は下部レジューサ部１２ｃの内周面に当接したときに、フロート１７の重心Ｇが下部弁座１６の内周側に位置するように、フロート１７の外径、下部弁座１６の内径及びフロート１７の外周面側部１７ｂが当接する部分の胴部１２ａ又は下部レジューサ部１２ｃの内径がそれぞれ設定されている。
【００１９】
これにより、フロート１７が下降する際に、フロート１７の外周面が胴部１２ａ又は下部レジューサ部１２ｃの内周面に沿って下降し、フロート１７の重心Ｇが下部弁座１６の中心とずれた状態になっていても、フロート１７が周状突片１８の上面に乗ったままの状態になることはなく、重心Ｇの位置関係からフロート１７を下部弁座１６にガイドすることができ、フロート室１２の水位の低下に伴って下部弁座１６をフロート１７で確実に閉塞することができる。
【００２０】
さらに、フロート１７と下部弁座１６とは、図５において、フロート１７が下部弁座１６に着座してフロート１６の周囲に排水Ｄが存在する状態で、フロート１７の質量をＷ［ｋｇ］、下部弁座１６の開口面積をＡ［ｍ２］、フロート１７の周囲の水位をＨ［ｍ］、フロート１７が水没した部分の体積をＶ［ｍ３］、排水Ｄの密度をρ［ｋｇ／ｍ３］（通常の排水の場合は１０００［ｋｇ／ｍ３］）としたときに、あらかじめ設定された水位以上で、Ｖ・ρ−（Ａ・Ｈ・ρ＋Ｗ）＞０の関係が成立するように形成されている。このような関係が成立するようにフロート１７と下部弁座１６とを関連づけて形成することにより、排水トラップ１４内の水量が減少してフロート室１２内の排水が無くなり、フロート１７が下部弁座１６に着座した状態になっても、上部排水管１１から排水がフロート室１２内に流入してフロート１７が排水中にある程度水没すると、フロート１７がフロート１７自身の浮力のみで確実に浮上して下部弁座１６を開放することができる。なお、前記関係が成立する水位は、下部弁座１６の開口径やフロート１７の径、質量などの条件によって異なり、例えば、下部弁座１６に着座したフロート１７が完全に水没する水位以上としてもよく、フロート１７の中心以上の水位に設定することができる。
【００２１】
また、下部レジューサ部１２ｃの内周面からの周状突片１８の突出方向、少なくとも周状突片１８の上面の角度は、本形態例に示す水平方向に限るものではなく、図５において、下部レジューサ部１２ｃの内周面から下部弁座１６に向かう下り勾配であって、該下り勾配の水平線Ｌに対する角度αを、フロート１７と下部弁座１６との当接点を通るフロート外周面の接線Ｔと水平線Ｌとの交角β未満、好ましくは、交角βの１／２以下とすることができる。すなわち、周状突片１８の上面を下部弁座１６に向かう上り勾配にすると、周状突片１８の上面に排水が溜まって異物が付着しやすくなり、異臭発生の原因ともなるので避けるべきであり、下り勾配の角度αが接線Ｔの角度βに近づくと、下部弁座１６の近傍の周状突片１８の上面とフロート１７の外周面との距離が近くなるため、周状突片１８の上面に付着した異物とフロート１７の外周面とが接触しやすくなるために好ましくない。
【００２２】
さらに、本形態例に示すように、上部排水管１１の途中にトラップ枡２１を設けてフロート室１２内への異物の流入を抑えることにより、フロート１７による上部弁座１５及び下部弁座１６の開閉をより円滑にすることができる。このトラップ枡２１は、筒型のトラップ本体２１ａと、該トラップ本体２１ａの上部に開口した流入口２１ｂと、トラップ本体２１ａの下部からトラップ本体２１ａの内部に立ち上がった流出管２１ｃと、流出管２１ｃの開口の上方に設けられた邪魔板２１ｄとを備えており、流入口２１ｂから流入する排水が流出管２１ｃに直接流入することを邪魔板２１ｄで防止するとともに、排水中の異物をトラップ本体２１ａの底部に沈殿させることにより、異物が流出管２１ｃから流出しないようにしている。
【００２３】
なお、上部弁座の形状は任意であり、本形態例に示す下部弁座と同じような形状に形成することもできる。また、フロート室の下部に、周状突片の基部に向かって漸次縮径する漏斗状に形成した下部レジューサ部を設けずに、胴部の下部から周状突片を突設することもでき、フロート室の下部を階段状に形成して周状突片を設けることもでき、周状突片の下部にもレジューサ部を設けて下部排水管の上端部に接続することもできる。さらに、周状突片の上面は、曲面で形成することもでき、中間を屈曲させてもよい。また、前記形態例では、フロート室と周状突片とを一体に形成しているが、フロート室とは別に適宜な形状の周状突片形成用の部材を形成し、この周状突片形成用の部材をフロート室を形成するための部材の内周に溶接などで取り付けるようにすることもできる。さらに、排水トラップの構造も、Ｓ型管トラップに限定されるものではなく、フロート室内の水位を所定高さに設定できる構造ならば、Ｐ型などの任意の排水トラップを採用することができる。
【符号の説明】
【００２４】
１１…上部排水管、１２…フロート室、１２ａ…胴部、１２ｂ…上部レジューサ部、１２ｃ…下部レジューサ部、１３…下部排水管、１４…Ｓ型管トラップ、１４ａ…下部屈曲部、１４ｂ…立ち上がり管部、１４ｃ…上部屈曲部、１４ｄ…出口管部、１５…上部弁座、１６…下部弁座、１７…フロート、１７ａ…外周面下部、１７ｂ…外周面側部、１８…周状突片、２１…トラップ枡、２１ａ…トラップ本体、２１ｂ…流入口、２１ｃ…流出管、２１ｄ…邪魔板
【図１】
0005808175.tif 000002
【図２】
0005808175.tif 000003
【図３】
0005808175.tif 000004
【図４】
0005808175.tif 000005
【図５】
0005808175.tif 000006
【図６】
0005808175.tif 000007